(57)【要約】【課題】レンズ性能の評価測定作業の効率化を図る。【解決手段】被写体を撮影して取得される被写体画像データと、レンズ性能を評価する指標となるＭＴＦデータから生成されるＭＴＦ曲線を示すＭＴＦ曲線画像データとに基づいて、被写体画像及びＭＴＦ曲線画像を示す測定結果画面データを生成し、該生成した測定結果画面データに基づく測定結果画面を表示することにより、レンズ性能の評価測定作業の際に、被写体画像及びＭＴＦ曲線画像を示す測定結果画面がリアルタイムに表示されるようにし、ユーザが測定結果画面のＭＴＦ曲線画像からフォーカス調整の要否を把握し、ＭＴＦ曲線画像と共に表示されている被写体画像のフォーカスを必要に応じて調整すると同時に、ＭＴＦ曲線画像からレンズ性能評価も行うことができるようにする。【選択図】図２
2008039586.tif 000002
【特許請求の範囲】
【請求項１】
レンズを通じて被写体を撮影して取得される被写体画像データに基づいて、レンズ性能を評価する指標となるＭＴＦをＭＴＦ演算手段により算出してＭＴＦデータを取得し、前記取得されたＭＴＦデータに基づいてＭＴＦ曲線を示すＭＴＦ曲線画像データを生成するＭＴＦ測定システムにおいて、
前記被写体画像データ及び前記ＭＴＦ曲線画像データに基づいて、被写体画像及びＭＴＦ曲線画像を示す測定結果画面データを生成する測定結果画面生成手段と、
前記測定結果画面生成手段により生成された測定結果画面データに基づいて、表示部に測定結果画面を表示させる表示制御手段とを備えることを特徴とするＭＴＦ測定システム。
【請求項２】
前記被写体には所定形状のマーカが複数印刷されており、
前記ＭＴＦ演算手段は、前記所定形状のマーカを撮影して取得される前記被写体画像データにおける各マーカのＭＴＦを算出して、それぞれのマーカ位置の各ＭＴＦデータを取得し、
前記測定結果画面生成手段は、前記各ＭＴＦデータから生成したＭＴＦ曲線画像データに基づいて、それぞれのマーカ位置におけるＭＴＦ曲線画像を各マーカ位置の付近に配置した測定結果画面データを生成することを特徴とする請求項１記載のＭＴＦ測定システム。
【請求項３】
前記被写体画像データにおける各マーカ位置の近傍の白色領域の輝度レベルを算出して、それぞれのマーカ位置の輝度レベルを示す輝度レベルデータを取得する輝度演算手段と、
前記取得された各輝度レベルデータに基づいて、各マーカ位置の近傍の白色領域の輝度レベル画像を示す輝度レベル画像データをそれぞれ生成する輝度画像生成手段とを備え、
前記測定結果画面生成手段は、前記被写体画像データ、前記ＭＴＦ曲線画像データ及び前記輝度レベル画像データに基づいて、前記被写体画像と共に、前記被写体画像上の各マーカ位置に対応した各ＭＴＦ曲線画像及び各輝度レベル画像を示す測定結果画面データを生成することを特徴とする請求項２記載のＭＴＦ測定システム。
【請求項４】
レンズを通じて被写体を撮影して取得される被写体画像データに基づいて、レンズ性能を評価する指標となるＭＴＦを算出してＭＴＦデータを取得する第一のステップと、
前記ＭＴＦデータに基づいてＭＴＦ曲線を示すＭＴＦ曲線画像データを生成する第二のステップと、
前記被写体画像データ及び前記ＭＴＦ曲線画像データに基づいて、被写体画像及びＭＴＦ曲線画像を示す測定結果画面データを生成する第三のステップと、
前記測定結果画面データに基づいて、測定結果画面を表示する第四のステップとを有することを特徴とするＭＴＦ測定方法。
【請求項５】
レンズを通じて被写体を撮影して取得される被写体画像データに基づいて、レンズ性能を評価する指標となるＭＴＦを算出してＭＴＦデータを取得し、前記取得されたＭＴＦデータに基づいたＭＴＦ曲線を示すＭＴＦ曲線画像データを生成するＭＴＦ測定システムに用いられるＭＴＦ測定ユニットであって、
前記被写体画像データ及び前記ＭＴＦ曲線画像データに基づいて、被写体画像及びＭＴＦ曲線画像を示す測定結果画面データを生成する測定結果画面生成手段を備えることを特徴とするＭＴＦ測定ユニット。
【請求項６】
請求項１〜３のいずれか１項に記載の各手段としてコンピュータを機能させるためのＭＴＦ測定プログラム。
【発明の詳細な説明】
【技術分野】
【０００１】
本発明は、ＭＴＦ測定システム、ＭＴＦ測定方法、ＭＴＦ測定ユニット及びＭＴＦ測定プログラムに関し、特に、被写体の持つコントラストをどの程度忠実に再現できるかを空間周波数特性として表現したＭＴＦを測定するためのシステム及びその測定方法に関するものである。
【背景技術】
【０００２】
レンズ性能を評価する指標の１つに、ＭＴＦ（Modulation Transfer Function）がある。ＭＴＦは、レンズ性能を知るために、被写体の持つコントラストをどの程度忠実に再現できるかを空間周波数特性として表現したものである。空間周波数は、１[ｍｍ]当たりに含まれるパターン数を示すものである。横軸に空間周波数をとり、縦軸にコントラストの値を示したものが、いわゆるＭＴＦ曲線である。
【０００３】
ところで、ＭＴＦ曲線を利用して、レンズの性能を評価するＭＴＦ測定システムが知られている（例えば、特許文献１参照）。特許文献１では、レンズを通じて被写体を撮影して取得される被写体画像データに基づいて、レンズ性能を評価する指標となるＭＴＦを算出して、ＭＴＦデータを取得し、該ＭＴＦデータから生成されるＭＴＦ曲線画像データが示すＭＴＦ曲線からレンズ性能を評価するＭＴＦ測定システムが開示されている。
【特許文献１】特開２００２−３５０２８５号公報
【発明の開示】
【発明が解決しようとする課題】
【０００４】
しかしながら、上記したＭＴＦ測定システムには、次のような解決すべき課題があった。即ち、レンズ性能の評価作業を行う場合、まず、ユーザは、ＭＴＦ測定システムが被写体を撮影して取得する被写体画像データにより示される被写体画像を参照し、被写体の位置合わせ及びフォーカス（焦点）の調整を行う。その後、ユーザからの測定開始指示等を受けたＭＴＦ測定システムは、ユーザにより調整された被写体画像データに基づいてＭＴＦを算出して、ＭＴＦデータを取得し、該ＭＴＦデータに基づいて、ＭＴＦ曲線画像データを生成する。そして、ユーザは、生成されたＭＴＦ曲線画像データが示すＭＴＦ曲線からレンズ性能を評価する。このように、レンズ性能の評価作業を行うためには、上述した一連の作業が必要となり、効率的にレンズ性能の評価測定作業を行うことができない問題があった。
【０００５】
本発明は、このような問題を解決するために成されたものであり、レンズ性能の評価測定作業を効率的に行うことができるようにすることを目的とする。
【課題を解決するための手段】
【０００６】
上記した課題を解決するために、本発明では、被写体を撮影して取得される被写体画像データと、レンズ性能を評価する指標となるＭＴＦデータから生成されるＭＴＦ曲線を示すＭＴＦ曲線画像データとに基づいて、被写体画像及びＭＴＦ曲線画像を示す測定結果画面データを生成し、該生成した測定結果画面データに基づく測定結果画面を表示部に表示させるようにした。
【発明の効果】
【０００７】
上記のように構成した本発明によれば、レンズ性能の評価測定作業の際に、被写体画像及びＭＴＦ曲線画像を示す測定結果画面がリアルタイムに表示されるので、ユーザは、測定結果画面のＭＴＦ曲線画像からフォーカス調整の要否を把握して、ＭＴＦ曲線画像と共に表示されている被写体画像のフォーカスを必要に応じて調整すると同時に、ＭＴＦ曲線画像からレンズ性能評価も行うことができる。従って、レンズ性能の評価測定作業の効率化を図ることができる。
【発明を実施するための最良の形態】
【０００８】
以下、本発明による第一の実施形態について図を用いて詳細に説明する。図１は、第一の実施形態によるＭＴＦ測定システム１００の全体構成例を示す図である。図１に示すように、第一の実施形態によるＭＴＦ測定システム１００は、ＭＴＦ測定ユニット１０、表示装置２０、情報処理装置３０及び表示装置４０を備えて構成されている。
【０００９】
図１におけるレンズ５０は、性能評価の対象となるレンズであり、ＭＴＦ測定ユニット１０がレンズ５０を着脱可能に構成されている。チャート６０は、レンズ性能を評価する指標となるＭＴＦを算出するために撮影される被写体であり、図３に示すように、中央部及びその周辺部の合計５箇所にＬ字型のマーカ６１が印刷されるとともに、周辺部４箇所のＬ字型マーカ６１を四隅とする仮想的な矩形の各辺上の位置に複数の位置調整マーク６２が印刷されている。
【００１０】
ＭＴＦ測定ユニット１０は、レンズ５０の性能評価を行うべく、装着されているレンズ５０のＭＴＦの算出等を行うユニットであり、ＡＶ（Audio Visual）ケーブル７０を介して表示装置２０と接続されている。また、ＭＴＦ測定ユニット１０は、ＬＡＮ（Local Area Network）ケーブル８０を介して情報処理装置３０と接続されている。表示装置２０は、液晶等からなるビデオモニタであり、後述するように、被写体画像及びＭＴＦ曲線画像を示す測定結果画面を画面表示する。
【００１１】
情報処理装置３０は、ＭＴＦデータの保存、ＭＴＦ曲線画像の表示制御等を行うＰＣ（Personal Computer）であり、ＶＧＡ（Video Graphics Array）ケーブル９０を介して表示装置４０と接続されている。なお、第一の実施形態では、情報処理装置３０と表示装置４０との間をＶＧＡケーブル９０により接続しているが、これに限られることはない。例えば、ＵＳＢ（Universal Serial Bus）ケーブル等のように、両装置間を接続できるものであれば、どのようなものでもよい。表示装置４０は、液晶等からなるＰＣモニタであり、後述するように、ＭＴＦ曲線を示すＭＴＦ曲線画面を表示する。
【００１２】
図２は、第一の実施形態によるＭＴＦ測定システム１００の機能構成例を示すブロック図である。図２に示すように、ＭＴＦ測定ユニット１０は、制御部１１、撮影部１２、ＭＴＦ演算部１３、ＭＴＦ曲線画像生成部１４、測定結果画面生成部１５、送信部１６及びバッファ１７を備えて構成されている。
【００１３】
バッファ１７は、後述するように、撮影部１２により取得される被写体画像データ、ＭＴＦ演算部１３により取得されるＭＴＦデータ、ＭＴＦ曲線画像生成部１４により生成されるＭＴＦ曲線画像データ及び測定結果画面生成部１５により生成される測定結果画面データが一時保持されるメモリである。
【００１４】
制御部１１は、いわゆるＣＰＵとしてＭＴＦ測定ユニット１０を統括制御する部分である。例えば、レンズ５０の性能評価を行うべく、情報処理装置３０から性能評価の開始を指示する評価開始信号を受けると、撮影部１２に対し、チャート６０の撮影開始を指示する撮影開始信号を出力する。また、制御部１１は、後述するように、ＭＴＦ演算部１３により取得されるＭＴＦデータ及び測定結果画面生成部１５により生成される測定結果画面データを送信部１６に出力する。
【００１５】
撮影部１２は、被写体としてのチャート６０を撮影すべく、ＣＣＤ（Charge Coupled Device）等から構成される部分である。この撮影部１２は、例えば、図示しないレンズ接合部を有しており、レンズ５０は、該レンズ接合部に回転してネジ込んで装着される。レンズ５０には、フォーカス調整用の操作部が設けられている。ユーザは、レンズ５０の操作部を操作することでフォーカスを調整できる。また、例えば、情報処理装置３０からの変更指示に応じてレンズ接合部に装着されたレンズ５０のフォーカスを調整できるようにしてもよい。また、撮影部１２は、制御部１１から撮影開始信号を受けると、装着されているレンズ５０を通じて、チャート６０の撮影を開始し、被写体画像データを取得する。取得された被写体画像データは、制御部１１によりバッファ１７に一時的に保持される。以降、制御部１１から撮影終了を指示する撮影終了信号を受けるまで、チャート６０を撮影し続ける。
【００１６】
ＭＴＦ演算部１３は、レンズ性能の評価指標となるＭＴＦを算出する部分である。ＭＴＦ演算部１３は、撮影部１２が被写体画像データを取得すると、取得された被写体画像データ及び予め設定された被写体画像上の測定位置を示す測定位置データに基づいて、例えば、ＩＳＯ（International Organization for Standardization）１２２３３で定められている従来と同様のＭＴＦ測定法を用いてＭＴＦを算出し、ＭＴＦデータを取得する。取得されたＭＴＦデータは、制御部１１によりバッファ１７に一時的に保持される。
【００１７】
第一の実施形態では、ＭＴＦ演算部１３には、チャート６０に印刷された５箇所（チャート６０の中央部及びその周辺部４箇所）のＬ字型マークを対象とした測定位置データが予め設定されている。ＭＴＦ演算部１３は、該測定位置データ及び被写体画像データに基づいて、５箇所のＬ字型マークについてＭＴＦをそれぞれ算出し、５つのＭＴＦデータを取得する。
【００１８】
なお、ＭＴＦを算出する箇所は、第一の実施形態の５箇所に限られることはないが、図３で示された５箇所を測定位置に設定することが好ましい。即ち、上述したように、チャート６０に分散配置された５箇所のＬ字型マークについてＭＴＦをそれぞれ算出することで、後述するように、ユーザは測定結果画面を介して、被写体画像とともに、５箇所それぞれの測定位置における各ＭＴＦ曲線画像を参照することができる。従って、ユーザは各測定位置のＭＴＦ曲線から、レンズ５０を通して撮影された画像の中央部のみならず、その周辺部のフォーカス調整の要否を把握し、必要に応じてフォーカス調整することができ、より詳細なフォーカス調整が可能となる。
【００１９】
ＭＴＦ曲線画像生成部１４は、ＭＴＦデータに基づいたＭＴＦ曲線を示すＭＴＦ曲線画像データを生成する部分である。ＭＴＦ演算部１３がＭＴＦデータを取得すると、ＭＴＦ曲線画像生成部１４は、取得されたＭＴＦデータに基づいて、横軸に空間周波数、縦軸にコントラストの値を示したＭＴＦ曲線画像データを生成する。生成されたＭＴＦ曲線画像データは、制御部１１によりバッファ１７に一時的に保持される。第一の実施形態では、ＭＴＦ演算部１３が５つのＭＴＦデータを取得することから、ＭＴＦ曲線画像生成部１４は、各ＭＴＦデータに対応する５つのＭＴＦ曲線画像データを生成する。
【００２０】
測定結果画面生成部１５は、被写体画像及びＭＴＦ曲線画像を示す測定結果画面データを生成する部分である。ＭＴＦ曲線画像生成部１４がＭＴＦ曲線画像データを生成すると、測定結果画面生成部１５は、バッファ１７に一時的に保持されたＭＴＦ曲線画像データ及び被写体画像データに基づいて、被写体画像及びＭＴＦ曲線画像を示す測定結果画面データを生成する。生成された測定結果画面データは、制御部１１によりバッファ１７に一時的に保持される。第一の実施形態では、測定結果画面生成部１５は、被写体画像データ及び５つのＭＴＦ曲線画像データに基づいて、被写体画像及び５箇所（チャート６０の中央部及びその周辺部４箇所）のＭＴＦ曲線画像を示す測定結果画面データを生成する。
【００２１】
送信部１６は、表示装置２０及び情報処理装置３０に対して、データ送信を行う部分である。送信部１６は、制御部１１によりバッファ１７から読み出された測定結果画面データ及びＭＴＦデータをそれぞれ受けると、測定結果画面データを表示装置２０に送信すると共に、ＭＴＦデータを情報処理装置３０に送信する。第一の実施形態では、ＭＴＦ演算部１３が５つのＭＴＦデータを取得することから、送信部１６は、該５つのＭＴＦデータを情報処理装置３０に送信する。
【００２２】
表示装置２０は、受信部２１、表示制御部２２、液晶パネル等の表示部２３を備えて構成されている。受信部２１は、ＭＴＦ測定ユニット１０から測定結果画面データを受信する。表示制御部２２は、表示部２３に対する画面表示制御を行う部分であり、測定結果画面データに基づいて、被写体画像及びＭＴＦ曲線画像を示す測定結果画面を表示部２３に表示させる。
【００２３】
第一の実施形態では、表示制御部２２は、図６に示すような測定結果画面を表示部２３に表示させる。この測定結果画面には、ＭＴＦの測定位置を表す矩形の枠１０１が画面中央に表示されていて、この矩形の枠１０１内にチャート６０の被写体画像が表示される。また、当該被写体画像上でＭＴＦが測定されたＬ字型マーカ６１の近傍位置（中央部及びその周辺部４箇所）に、それぞれ対応する各ＭＴＦ曲線画像が表示されている。ユーザは、チャート６０またはＭＴＦ測定ユニット１０を動かして、チャート６０の被写体画像中に含まれている複数の位置調整マーク６２が矩形の枠１０１の各辺にそれぞれ接するようにすることにより、測定位置を調整する。
【００２４】
情報処理装置３０は、制御部３１、受信部３２、ＭＴＦ曲線画像生成部３３及び送信部３４を備えて構成されている。受信部３２は、ＭＴＦ測定ユニット１０からＭＴＦデータを受信する。第一の実施形態では、５つのＭＴＦデータが受信される。
【００２５】
制御部３１は、いわゆるＣＰＵとして、情報処理装置３０を統括制御する部分であり、受信部３２がＭＴＦデータを受信すると、該ＭＴＦデータをＭＴＦ曲線画像生成部３３に出力する。第一の実施形態では、５つのＭＴＦデータがＭＴＦ曲線画像生成部３３に出力される。また、制御部３１は、後述するように、ＭＴＦ曲線画像生成部３３により生成されるＭＴＦ曲線画像データを送信部３４に出力する。第一の実施形態では、制御部３１は、５つのＭＴＦ曲線画像データを送信部３４に出力する。
【００２６】
また、制御部３１は、ＭＴＦ曲線画像生成部３３により生成されるＭＴＦ曲線画像データを記憶部３５に保存する。そして、ユーザから図示しない入力部等を介して表示指示を受けると、制御部３１は、記憶部３５からＭＴＦ曲線画像データを読み出し、読み出したＭＴＦ曲線画像データを送信部３４に出力する。これにより、ユーザは、記憶部３５に保存されているＭＴＦ曲線画像データをいつでも表示装置４０に表示して確認等を行うことができる。
【００２７】
ＭＴＦ曲線画像生成部３３は、ＭＴＦデータに基づいたＭＴＦ曲線を示すＭＴＦ曲線画像データを生成する部分である。ＭＴＦ曲線画像生成部３３は、制御部３１からＭＴＦデータを受けると、ＭＴＦデータに基づいて、横軸に空間周波数、縦軸にコントラストの値を示したＭＴＦ曲線画像データを生成する。第一の実施形態では、ＭＴＦ曲線画像生成部３３は、制御部３１から５つのＭＴＦデータを受けることから、各ＭＴＦデータに対応する５つのＭＴＦ曲線画像データを生成する。
【００２８】
送信部３４は、ＭＴＦ曲線画像生成部３３により生成されたＭＴＦ曲線画像データを制御部３１から受けると、ＭＴＦ曲線画像データを表示装置４０に送信する。第一の実施形態では、ＭＴＦ曲線画像生成部３３が５つのＭＴＦ曲線画像データをそれぞれ生成することから、送信部３４は、制御部３１から受け付けた５つのＭＴＦ曲線画像データを表示装置４０に送信する。
【００２９】
表示装置４０は、受信部４１、表示制御部４２、液晶パネル等の表示部４３を備えて構成されている。受信部４１は、情報処理装置３０からＭＴＦ曲線画像データを受信する。第一の実施形態では、受信部４１は、５つのＭＴＦ曲線画像データを受信する。表示制御部４２は、表示部４３に対する画面表示制御を行う部分であり、ＭＴＦ曲線画像データに基づいて、ＭＴＦ曲線画像を示すＭＴＦ曲線画面を表示部４３に表示させる。第一の実施形態では、５つのＭＴＦ曲線画像データに基づいて、図８に示すように、ＭＴＦが測定された位置（中央部及びその周辺部４箇所）の各ＭＴＦ曲線画像をそれぞれ示したＭＴＦ曲線画面が表示部４３に表示される。
【００３０】
次に、第一の実施形態によるＭＴＦ測定システム１００の動作について説明を行う。まず、第一の実施形態のＭＴＦ測定ユニット１０が測定結果画面データを表示装置２０に送信すると共に、ＭＴＦデータを情報処理装置３０に送信するまでの説明を行う。図４は、第一の実施形態によるＭＴＦ測定ユニット１０の動作例を示すフローチャートである。
【００３１】
図４において、ＭＴＦ測定ユニット１０の制御部１１は、例えば、レンズ５０の性能評価を行うべく、情報処理装置３０から性能評価の開始を指示する評価開始信号を受けると、撮影部１２に対し、チャート６０の撮影開始を指示する撮影開始信号を出力する（ステップＳ１）。
【００３２】
撮影部１２は、撮影開始信号を受けると、装着されているレンズ５０を通じて、チャート６０の撮影を開始し、被写体画像データを取得する（ステップＳ２）。この際、撮影部１２は、取得した被写体画像データを制御部１１に出力する。該被写体画像データを受けた制御部１１は、該被写体画像データをバッファ１７に一時保持しておく。以降、撮影部１２は、制御部１１から撮影終了を指示する撮影終了信号を受けるまで、チャート６０を撮影し続ける。
【００３３】
ＭＴＦ演算部１３は、撮影部１２が被写体画像データを取得すると、取得された被写体画像データ及び予め設定されている測定位置データに基づいて、ＭＴＦを算出し、ＭＴＦデータを取得する（ステップＳ３）。この際、ＭＴＦ演算部１３は、チャート６０（図３参照）に印刷された５箇所のＬ字型マークを対象として、５箇所のＭＴＦをそれぞれ算出し、５つのＭＴＦデータを取得する。そして、取得した各ＭＴＦデータを制御部１１に出力する。該ＭＴＦデータを受けた制御部１１は、該各ＭＴＦデータをバッファ１７に一時保持しておく。
【００３４】
ＭＴＦ演算部１３がＭＴＦデータを取得すると、ＭＴＦ曲線画像生成部１４は、取得されたＭＴＦデータに基づいて、横軸に空間周波数、縦軸にコントラストの値を示したＭＴＦ曲線画像データを生成する（ステップＳ４）。第一の実施形態では、ＭＴＦ曲線画像生成部１４は、ＭＴＦ演算部１３により取得された５つのＭＴＦデータに対応して５つのＭＴＦ曲線画像データを生成する。
【００３５】
ＭＴＦ曲線画像生成部１４がＭＴＦ曲線画像データを生成すると、測定結果画面生成部１５は、バッファ１７に一時保持されている被写体画像データ及び５つのＭＴＦ曲線画像データに基づいて、被写体画像と共に、被写体画像上の測定位置に対応した各ＭＴＦ曲線画像を示す測定結果画面データを生成する（ステップＳ５）。
【００３６】
測定結果画面生成部１５が測定結果画面データを生成すると、制御部１１は、該生成された測定結果画面データ及びバッファ１７に一時保持されている５つのＭＴＦデータを送信部１６に出力する。送信部１６は、測定結果画面データ及び５つのＭＴＦデータを受けると、測定結果画面データを表示装置２０に送信すると共に、５つのＭＴＦデータを情報処理装置３０に送信する（ステップＳ６）。
【００３７】
このように、ＭＴＦ測定ユニット１０は、撮影部１２によるチャート６０の撮影が終了されるまで、測定結果画面生成部１５が測定結果画面データを生成する毎に、生成された測定結果画面データを表示装置２０に送信する。また、ＭＴＦ演算部１３が各ＭＴＦデータを取得する毎に、取得された各ＭＴＦデータを情報処理装置３０に送信する。
【００３８】
次に、表示装置２０が測定結果画面を表示するまでの説明を行う。図５は、表示装置２０が測定結果画面を表示するまでの動作例を示すフローチャートである。図５において、表示装置２０の受信部２１がＭＴＦ測定ユニット１０から測定結果画面データを受信すると（ステップＳ１１）、表示制御部２２は、受信した測定結果画面データに基づいて、図６に示すように、被写体画像とともに、ＭＴＦが測定された被写体画像上の位置（中央部及びその周辺部）にそれぞれ対応する各ＭＴＦ曲線画像を示した測定結果画面を表示部２３に表示する（ステップＳ１２）。
【００３９】
次に、表示装置４０がＭＴＦ曲線画面を表示するまでの説明を行う。図７は、表示装置４０がＭＴＦ曲線画面を表示するまでの動作例を示すフローチャートである。図７において、情報処理装置３０の受信部３２がＭＴＦ測定ユニット１０から５つのＭＴＦデータを受信すると、制御部３１は、該５つのＭＴＦデータをＭＴＦ曲線画像生成部３３に出力する（ステップＳ２１）。ＭＴＦ曲線画像生成部３３は、５つのＭＴＦデータを受けると、各ＭＴＦデータに基づいて、横軸に空間周波数、縦軸にコントラストの値を示した５つのＭＴＦ曲線画像データを生成する（ステップＳ２２）。
【００４０】
ＭＴＦ曲線画像生成部３３が５つのＭＴＦ曲線画像データを生成すると、制御部３１は、生成された５つのＭＴＦ曲線画像データを送信部３４に出力する（ステップＳ２３）。送信部３４は、制御部３１から５つのＭＴＦ曲線画像データを受けると、該５つのＭＴＦ曲線画像データを表示装置４０に送信する（ステップＳ２４）。表示装置４０の受信部４１が５つのＭＴＦ曲線画像データを受信すると（ステップＳ２５）、表示制御部４２は、受信した５つのＭＴＦ曲線画像データに基づいて、図８に示すように、ＭＴＦが測定された位置（中央部及びその周辺部４箇所）の各ＭＴＦ曲線画像をそれぞれ示したＭＴＦ曲線画面を表示部４３に表示させる（ステップＳ２６）。
【００４１】
以上詳しく説明したように、第一の実施形態によるＭＴＦ測定システム１００では、被写体画像及びＭＴＦ曲線画像を示す測定結果画面を表示装置２０に表示させるようにしたので、レンズ５０の性能評価測定作業の際に、被写体画像と共にＭＴＦ曲線画像を示した測定結果画面が表示装置２０にリアルタイムに表示されることとなる。これによりユーザは、測定結果画面のＭＴＦ曲線画像からフォーカス調整の要否を把握し、必要に応じてフォーカスを調整するとともに、これと同時にレンズ性能評価も行うことができる。従って、レンズ性能の評価測定作業の効率化を図ることができる。
【００４２】
また、第一の実施形態では、チャート６０の中央部及びその周辺４箇所にマーカを印刷してＭＴＦの測定位置とし、各測定位置にそれぞれのＭＴＦ曲線画像を示した測定結果画面を表示装置２０に表示するようにしている。これにより、ユーザは測定結果画面から、表示されているＭＴＦ曲線画像がどの測定位置のものかを直感的に把握することができる。また、複数箇所のＭＴＦ曲線画像から、フォーカス調整の必要な箇所を把握することができる。例えば、チャート６０の位置は合っていても、撮影部１２がチャート６０に対して垂直に配置されていない場合などには、複数箇所のＭＴＦ曲線画像が一様にならない。従って、ユーザは、レンズ５０を通して撮影された画像の中央部のみならず、その周辺部のフォーカス調整の要否を把握し、ＭＴＦ曲線画像と共に表示されている被写体画像のフォーカスを必要に応じて、より詳細に調整することができる。
【００４３】
なお、上記実施形態では、測定結果画面は、被写体画像及び複数箇所（チャート６０の中央部及びその周辺４箇所）のＭＴＦ曲線画像をそれぞれ示していたが、これに限られることはない。例えば、被写体画像上において、予め設定された測定位置（例えば、チャート６０の中央部及びその周辺４箇所）に映っているＬ字型マーク近傍の白色領域の輝度レベルを算出し、該算出した輝度レベルを示す輝度レベル画像も測定結果画面に含めて表示する構成としてもよい。
【００４４】
具体的には、例えば、図９に示すように、第一の実施形態によるＭＴＦ測定システム１００のＭＴＦ測定ユニット１０は、第一の実施形態の機能構成に加えて輝度演算部１８、輝度画像生成部１９を備えて構成する。輝度演算部１８は、撮影部１２が被写体画像データを取得すると、取得された被写体画像データにおける予め設定された測定位置（例えば、チャート６０の中央部及びその周辺４箇所）のＬ字型マーク近傍の白色領域の輝度レベルを算出し、該算出した各輝度レベルを示す５つの輝度レベルデータを取得する。制御部１１は、取得された各輝度レベルデータをバッファ１７に一時保持する。
【００４５】
輝度演算部１８が５つの輝度レベルデータを取得すると、輝度画像生成部１９は、取得された５つの輝度レベルデータに基づいて、測定位置（例えば、チャート６０の中央部及びその周辺４箇所）のＬ字型マーク近傍の白色領域の輝度レベルを示す輝度レベル画像データをそれぞれ生成する。制御部１１は、生成された各輝度レベル画像データをバッファ１７に一時保持する。そして、測定結果画面生成部１５は、バッファ１７に一時保持されている被写体画像データ、５つのＭＴＦ曲線画像データ及び５つの輝度レベル画像データに基づいて、被写体画像と共に、被写体画像上の測定位置に対応した各ＭＴＦ曲線画像及び各輝度レベル画像を示す測定結果画面データを生成し、表示装置２０に送信する。
【００４６】
このように、５箇所（チャート６０の中央部及びその周辺部４箇所）のＬ字型マーク近傍の白色領域についての輝度レベルをそれぞれ算出することで、ユーザは測定結果画面（図１０参照）を介して、５箇所（チャート６０の中央部及びその周辺部４箇所）それぞれの測定位置における各輝度レベル画像を参照することができる。従って、ユーザは各測定位置の輝度レベルの高低から、レンズ５０の中央部のみならず、その周辺部の輝度の飽和状態を把握することができ、より詳細なフォーカス調整が可能となる。
【００４７】
次に、本発明によるＭＴＦ測定システムの第二の実施形態を図面に基づいて詳細に説明する。図１１は、第二の実施形態によるＭＴＦ測定システム２００の全体構成例を示す図である。図１１に示すように、第二の実施形態のＭＴＦ測定システム２００は、情報処理装置３００及び表示装置４０を備えて構成されている。
【００４８】
表示装置４０は、液晶等からなるビデオモニタであり、後述するように、被写体画像及びＭＴＦ曲線画像を示す測定結果画面を画面表示する。情報処理装置３００は、ＭＴＦデータの保存、ＭＴＦ曲線画像の表示制御等を行うＰＣであり、ＶＧＡケーブル９０を介して表示装置４０と接続されている。
【００４９】
図１２は、第二の実施形態によるＭＴＦ測定システム２００の機能構成例を示すブロック図である。図１２に示すように、情報処理装置３００は、制御部３０１、撮影部１２、ＭＴＦ演算部１３、ＭＴＦ曲線画像生成部１４、測定結果画面生成部１５、送信部３０４、記憶部３５及びバッファ１７を備えて構成されている。ここで、撮影部１２、ＭＴＦ演算部１３、ＭＴＦ曲線画像生成部１４、測定結果画面生成部１５、記憶部３５及びバッファ１７は、第一の実施形態と同様なので説明を省略する。
【００５０】
制御部３０１は、いわゆるＣＰＵとして情報処理装置３００を統括制御する部分である。例えば、レンズ５０の性能評価を行うべく、図示しない入力部等からレンズ性能評価の開始を指示する評価開始信号を受けると、撮影部１２に対し、チャート６０の撮影開始を指示する撮影開始信号を出力する。また、制御部３０１は、測定結果画面生成部１５により生成される測定結果画面データを送信部３０４に出力する。送信部３０４は、測定結果画面生成部１５により生成された測定結果画面データを制御部３０１から受けると、測定結果画面データを表示装置４０に送信する。
【００５１】
次に、第二の実施形態によるＭＴＦ測定システム２００の動作について説明を行う。まず、情報処理装置３００が測定結果画面データを表示装置４０に送信するまでの動作について説明を行う。図１３は、第二の実施形態による情報処理装置３００の動作例を示すフローチャートである。図１３において、ステップＳ３１〜ステップＳ３５までは、第一の実施形態のステップＳ１〜ステップＳ５と同様であるので動作例の説明を省略する。
【００５２】
ステップＳ３５において、測定結果画面生成部１５が測定結果画面データを生成すると、情報処理装置３００の制御部３０１は、該生成された測定結果画面データを送信部３０４に出力する。送信部３０４は、測定結果画面データを受けると、測定結果画面データを表示装置４０に送信する（ステップＳ３６）。このように、情報処理装置３００は、撮影部１２によるチャート６０の撮影が終了されるまで、測定結果画面生成部１５が測定結果画面データを生成する毎に、生成された測定結果画面データを表示装置４０に送信する。
【００５３】
以降、表示装置４０は、図５に示すように、第一の実施形態の表示装置２０が測定結果画面を表示するのと同様に動作する。即ち、表示装置４０の受信部４１が情報処理装置３００から測定結果画面データを受信すると、表示制御部４２は、受信した測定結果画面データに基づいて、図６に示すように、被写体画像とともに、ＭＴＦが測定された被写体画像上の位置（中央部及びその周辺部）にそれぞれ対応する各ＭＴＦ曲線画像を示した測定結果画面を表示部４３に表示する。
【００５４】
以上、詳しく説明したように、第二の実施形態によれば、レンズ性能の評価測定作業の際に、情報処理装置３００によって、測定結果画面をリアルタイムに表示するために必要な全ての処理が実行されるので、別途、ＭＴＦ測定ユニット１０を設けることなく、第一の実施形態と同一の効果を得ることができる。
【００５５】
なお、上記第一及び第二の実施形態では、ＭＴＦ測定ユニット１０又は情報処理装置３００が撮影部１２を備え、レンズ５０を着脱可能に構成していたが、これに限られることはない。例えば、図１４（ａ）（ｂ）に示すように、レンズ５０と撮影部１２とを一体化したカメラモジュール４００をＭＴＦ測定ユニット１０又は情報処理装置３００に着脱可能なように構成してもよい。この場合、ＭＴＦ測定ユニット１０又は情報処理装置３００の内部に撮影部１２は存在しない。このように構成した場合、ユーザは上記と同様に測定結果画面の被写体画像、被写体画像上の測定位置に対応した各ＭＴＦ曲線画像等を参照して、カメラモジュール４００のフォーカスの調整及びレンズ性能評価を行うことができる。
【００５６】
また、以上に説明した第一及び第二の実施形態によるＭＴＦ測定システムのＭＴＦ測定方法は、ハードウェア構成、ＤＳＰ、ソフトウェアの何れによっても実現することが可能である。例えば、ソフトウェアによって実現する場合、ＭＴＦ測定ユニット１０或いは第二の実施形態の情報処理装置３００は、実際にはコンピュータのＣＰＵ或いはＭＰＵ、ＲＡＭ、ＲＯＭなどを備えて構成され、ＲＡＭやＲＯＭに記憶されたプログラムが動作することによって実現できる。
【００５７】
また、コンピュータが上記第二の実施形態の機能を果たすように動作させるプログラムを例えばＣＤ−ＲＯＭのような記録媒体に記録し、コンピュータに読み込ませることによって実現できるものである。上記プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記プログラムをインターネット等のネットワークを介してコンピュータにダウンロードすることによっても実現できる。
【００５８】
また、コンピュータが供給されたプログラムを実行することにより上記第二の実施形態の機能が実現されるだけでなく、そのプログラムがコンピュータにおいて稼働しているＯＳ（オペレーティングシステム）或いは他のアプリケーションソフト等と共同して上記第二の実施形態の機能が実現される場合や、供給されたプログラムの処理の全て或いは一部がコンピュータの機能拡張ボードや機能拡張ユニットにより行われて上述の実施形態の機能が実現される場合も、かかるプログラムは本発明の実施形態に含まれる。
【００５９】
その他、以上に説明した実施形態は、何れも本発明を実施するにあたっての具体化の一例を示したものに過ぎず、これらによって本発明の技術的範囲が限定的に解釈されてはならないものである。すなわち、本発明はその精神、又はその主要な特徴から逸脱することなく、様々な形で実施することができる。
【図面の簡単な説明】
【００６０】
【図１】第一の実施形態によるＭＴＦ測定システムの全体構成例を示す図である。
【図２】第一の実施形態によるＭＴＦ測定システムの機能構成例を示すブロック図である。
【図３】第一の実施形態及び第二の実施形態によるチャートの例を示す図である。
【図４】第一の実施形態によるＭＴＦ測定ユニットの動作例を示すフローチャートである。
【図５】第一の実施形態による表示装置が測定結果画面を表示するまでの動作例を示すフローチャートである。
【図６】第一の実施形態による測定結果画面の例を示す図である。
【図７】第一の実施形態による表示装置がＭＴＦ曲線画面を表示するまでの動作例を示すフローチャートである。
【図８】第一の実施形態によるＭＴＦ曲線画面の例を示す図である。
【図９】第一の実施形態によるＭＴＦ測定システムの他の機能構成例を示すブロック図である。
【図１０】第一の実施形態による他の測定結果画面の例を示す図である。
【図１１】第二の実施形態によるＭＴＦ測定システムの全体構成例を示す図である。
【図１２】第二の実施形態によるＭＴＦ測定システムの機能構成例を示すブロック図である。
【図１３】第二の実施形態による情報処理装置の動作例を示すフローチャートである。
【図１４】本実施形態によるＭＴＦ測定システムの変形例を示すブロック図である。
【符号の説明】
【００６１】
１０  ＭＴＦ測定ユニット
１１  制御部
１２  撮影部
１３  ＭＴＦ演算部
１４  ＭＴＦ曲線画像生成部
１５  測定結果画面生成部
１６  送信部
１７  バッファ
１８  輝度演算部
１９  輝度画像生成部
２０  表示装置
２１  受信部
２２  表示制御部
２３  表示部
３０、３００  情報処理装置
３１、３０１  制御部
３２  受信部
３３  ＭＴＦ曲線画像生成部
３４、３０４  送信部
３５  記憶部
４０  表示装置
４１  受信部
４２  表示制御部
４３  表示部
５０  レンズ
６０  チャート
６１  Ｌ字型マーカ
６２  位置調整マーク
７０  ＡＶケーブル
８０  ＬＡＮケーブル
９０  ＶＧＡケーブル
１００、２００  ＭＴＦ測定システム
１０１  矩形の枠
【図１】
2008039586.tif 000003
【図２】
2008039586.tif 000004
【図３】
2008039586.tif 000005
【図４】
2008039586.tif 000006
【図５】
2008039586.tif 000007
【図６】
2008039586.tif 000008
【図７】
2008039586.tif 000009
【図８】
2008039586.tif 000010
【図９】
2008039586.tif 000011
【図１０】
2008039586.tif 000012
【図１１】
2008039586.tif 000013
【図１２】
2008039586.tif 000014
【図１３】
2008039586.tif 000015
【図１４】
2008039586.tif 000016